(57)【特許請求の範囲】
【請求項１】
複数のケースから構成される第１の筐体の所定の位置から光を出射する照光装置であって、
前記第１の筐体に収容され、光を放射する光源と、
前記光源からの光が照射される領域を前記所定の位置に制限する遮光部材と、を備え、
前記遮光部材は、前記第１の筐体の厚み方向に対して、前記光源が配置された第１の基板と同じ高さレベルに配置され、前記複数のケースの何れかと一体に形成されている、
ことを特徴とする照光装置。
【請求項２】
前記光源からの光を前記所定の位置まで導光する導光部材を更に備え、
前記導光部材は、前記第１の筐体の厚み方向に対して前記光源と同じ高さレベルに配置され、
前記遮光部材は、前記導光部材の一部を覆うことにより、前記光源からの光が照射される領域を制限する、
ことを特徴とする請求項１に記載の照光装置。
【請求項３】
前記遮光部材は、前記導光部材を収容し、切り欠き部を有する凹部を備え、
前記導光部材は、前記遮光部材の前記凹部に配置され、前記複数のケースの何れかに形成された開口窓部に嵌合する光出射用の凸部を上面に備え、
前記光源は、前記切り欠き部から前記導光部材に光を入射させ、
前記導光部材は、入射した光を前記第１の基板と略平行な面に沿って導光し、
前記遮光部材は、前記導光部材により導光される光を、前記導光部材の側面と下面とで遮光し、
前記導光部材は、入射された光を前記凸部から出射する、
ことを特徴とする請求項２に記載の照光装置。
【請求項４】
前記遮光部材は、前記第１の基板に接続される配線が前記導光部材を迂回するように、前記配線を案内する、
ことを特徴とする請求項１乃至３の何れか１項に記載の照光装置。
【請求項５】
前記配線は、前記第１の筐体と連結された第２の筐体に挿通され、前記第２の筐体に収容された第２の基板に接続される、
ことを特徴とする請求項４に記載の照光装置。
【請求項６】
請求項１乃至５の何れか１項に記載の照光装置を備える、
ことを特徴とする電子機器。
【発明の詳細な説明】
【技術分野】
【０００１】
本発明は、照光装置、及びこれを備える電子機器に関する。
【背景技術】
【０００２】
携帯端末装置、ＰＤＡ、パソコン等の電子機器には、機器の状態を外部から視認できるように、ＬＥＤ（発光ダイオード）等の光で筐体上に可視表示を生成する照光装置が、広く採用されている。
【０００３】
特許文献１には、筐体をＡＢＳ樹脂等の光透過材料で形成すると共に、筐体に収容されたＬＥＤを黒色ゴム等で形成した遮光部材で包囲することにより、筐体の所定の領域に可視表示を生成するように構成された照光装置が開示されている。
【先行技術文献】
【特許文献】
【０００４】
【特許文献１】特開２００８−１９９２１２号公報
【発明の概要】
【発明が解決しようとする課題】
【０００５】
特許文献１に記載された照光装置は、ＡＢＳ等で形成した筐体に黒色ゴム等で形成した遮光部材を取り付ける必要があるため、構成が複雑で、部品の製造及び組み立てに掛かるコストが高かった。
【０００６】
上記課題に鑑み、本発明は、簡単な構成からなる照光装置、及びこれを備える電子機器を提供することを目的とする。
【課題を解決するための手段】
【０００７】
上記課題を達成するため、本発明に係る照光装置は、
複数のケースから構成される第１の筐体の所定の位置から光を出射する照光装置であって、
前記第１の筐体に収容され、光を放射する光源と、
前記光源からの光が照射される領域を前記所定の位置に制限する遮光部材と、を備え、
前記遮光部材は、前記第１の筐体の厚み方向に対して、前記光源が配置された第１の基板と同じ高さレベルに配置され、前記複数のケースの何れかと一体に形成されている、
ことを特徴とする。
【０００８】
また、本発明に係る電子機器は、
上述の照光装置を備える、
ことを特徴とする。
【発明の効果】
【０００９】
本発明によれば、第１の筐体を構成するケースと遮光部材とを一体に形成することにより、簡単な構成からなる照光装置、及びこれを備える電子機器を提供することができる。
【図面の簡単な説明】
【００１０】
【図１】本発明の実施形態に係る携帯電話機を開いた状態で示す上面図。
【図２】図１に示された携帯電話機を閉じた状態で示す上面図。
【図３】図２に示された第１の筐体を示す分解斜視図。
【図４】図２に示された第１の筐体のＩ−Ｉ線に沿う断面を示す部分断面図。
【図５】図３に示された照光装置を拡大して示す上面図。
【発明を実施するための形態】
【００１１】
以下、本発明を実施するための形態を、図面を用いて説明する。
【００１２】
（実施形態）
実施形態に係る電子機器は、図１に示す携帯電話機１である。携帯電話機１は、いわゆる折り畳み型の携帯電話機であって、第１の筐体１００と、第２の筐体２００と、第１の筐体１００と第２の筐体２００とを回動可能に連結するヒンジ装置３００と、を備える。第１の筐体１００は、ＬＣＤ（Liquid Crystal Display）から構成された表示部１１０を備える。第２の筐体２００は、複数のキーから構成された操作部２１０を備える。ヒンジ装置３００は、いわゆる２軸ヒンジであって、第１の筐体１００と第２の筐体２００とをＸ軸の回りに回動可能に連結すると共に、第１の筐体１００をＸ軸と垂直なＹ軸の回りに回動可能に支持している。図１は、表示部１１０と操作部２１０とが互いに同じ方向に向くように、携帯電話機１が開いた状態を示している。図２は、表示部１１０と操作部２１０とが互いに対向するように、携帯電話機１が閉じた状態を示している。図２に示すように、第１の筐体１００には、携帯電話機１の着信等を光で告知する照光装置５が設けられている。
【００１３】
次に、図３〜図５を参照して、照光装置５を備える第１の筐体１００の構成について、詳細に説明する。
【００１４】
図３に示すように、第１の筐体１００は、上下方向に組み合わされる第１のケース１０１と第２のケース１０２とから構成されている。また、第１の筐体１００の内部には、ＬＥＤ（光源）５１０を搭載する第１の基板１２０と、配線３１０と、遮光部材５２０と、導光部材５３０と、が収容されている。なお、照光装置５は、ＬＥＤ５１０と遮光部材５２０と導光部材５３０とから構成されている。
【００１５】
第１のケース１０１は、非光透過性の合成樹脂から形成されており、金型成形により、遮光部材５２０と継ぎ目無く一体に形成されている。また、第１のケース１０１は、図４に示すように、インサート成形により、金属製のプレート１０３と一体化されている。プレート１０３は、第１のケース１０１の強度を向上すると共に、第１のケース１０１を成形する際には、第１のケース１０１及び遮光部材５２０の寸法精度を向上する役割を果たす。なお、上述の表示部１１０は、第１のケース１０１に固定されている。
【００１６】
第２のケース１０２は、非光透過性の合成樹脂から形成されており、第１のケース１０１を上方から塞ぐように、第１のケース１０１に取り付けられている。第２のケース１０２には、遮光部材５２０及び導光部材５３０の上方に配置され、導光部材５３０の凸部５３１と嵌合する開口窓部５５０が形成されている。
【００１７】
図３に示すように、第１の基板１２０は、遮光部材５２０の側面の一部に沿う外形を有して形成され、第１のケース１０１に固定されている。第１の基板１２０には、配線３１０を接続するための第１のコネクタ１２１が設けられている。
【００１８】
配線３１０は、図略の複数の同軸細線と、その両端に設けられた図略のコネクタと、から構成されている。配線３１０の一端は、第１の基板１２０の第１のコネクタ１２１に接続されている。配線３１０は、第１のコネクタ１２１から、遮光部材５２０を迂回して延び、図４に示すように、束ねられて、Ｙ軸に沿ってヒンジ装置３００に挿通されている。さらに配線３１０は、Ｘ軸に沿って第２の筐体２００に挿通されている。そして、配線３１０の他端は、第２の筐体２００に収容された第２の基板２２０の第２のコネクタ２２１に接続されている。
【００１９】
図５に示すように、ＬＥＤ５１０は、第１の基板１２０の上面において、遮光部材５２０及び導光部材５３０に隣接して配置されている。
【００２０】
遮光部材５２０は、第１のケース１０１と一体に形成され、非光透過性の合成樹脂から形成されている。遮光部材５２０には、導光部材５３０の側面と嵌合する凹部５２１が形成されている。なお、遮光部材５２０は、配線３１０と遮光部材５２０及び導光部材３３０とが上下方向（第１の筐体１００の厚み方向）に重ならず、遮光部材５２０を迂回するように、配線３１０を案内する。
【００２１】
導光部材５３０は、遮光部材５２０の凹部５２１と嵌合する側面を有して形成されている。また、導光部材５３０の上面には、第２のケース１０２の開口窓部５５０（図３参照）と嵌合する側面を有する凸部５３１が形成されている。導光部材５３０は、図３に示す両面テープ５４０により、第２のケース１０２に固定されている。
【００２２】
次に、ＬＥＤ５１０から出射した光の経路について説明する。
【００２３】
図５に示すように、ＬＥＤ５１０から出射した光は、遮光部材５２０の切り欠き部から凹部５２１へ、即ち導光部材５３０に入射する。
【００２４】
導光部材５３０に入射する光は、導光部材５３０の形状に従って第１の基板１２０と略平行に導光され、導光部材５３０の側面及び下面において遮光部材５２０に遮光されるため、導光部材５３０の上面から出射する。
【００２５】
導光部材５３０の上面から出射する光は、第２のケース１０２の開口窓部５０４を通る光、すなわち凸部５３１から出射する光を除き、第２のケース１０２により遮光される。
【００２６】
以上説明したように、照光装置５は、ＬＥＤ５１０が放射した光を導光部材５３０により開口窓部５０４まで導光すると共に、導光した光を遮光部材５２０と第２のケース１０２とにより遮光することにより、光の漏洩を防止しながら開口窓部５０４に可視表示を生成する。
【００２７】
上記構成の照光装置５によれば、光の漏洩を防止する遮光部材５２０と、第１のケース１０１とを一体に形成することにより、構成を簡単とすることができる。これにより、具体的には、例えば、部品点数を抑制し、製造コストを抑制することができる。
【００２８】
また、ＬＥＤ５１０の光を開口窓部５５０まで導光する導光部材５３０を設けることにより、照光装置５の視認性を向上することができる。また、ＬＥＤ５１０と開口窓部５５０との配置の自由度を向上することができる。
【００２９】
また、導光部材５３０をＬＥＤ５１０の近傍から第１の基板１２０と略平行に延在させることにより、第１の筐体１００を薄型化することができる。
【００３０】
また、配線３１０を遮光部材５２０で案内し、遮光部材５２０及び導光部材５３０と上下方向（第１の筐体１００の厚み方向）に重ならないように、遮光部材５２０を迂回させることにより、第１の筐体１００をさらに薄型化することができる。このことは、配線３１０が複数の同軸細線から構成され、フレキシブル基板配線のようにその厚みを抑制することが困難な場合に、有利である。特に、配線３１０を、ヒンジ装置３００を介して第２の筐体１００に挿通し、第２の筐体１００に収容された第２の基板２２０に接続する場合には、配線３１０を束ねることによりその厚みが大きくなることから、有利である。また、別途部品を追加する必要がないため、製造コストを抑制することができる。また、第１の筐体１００の組み立てを容易とすることができる。
【００３１】
（変形例）
本発明は上述の実施形態に限定されるものではなく、特許請求の範囲に記載した範囲で種々の変形をしたものも本発明の技術的範囲に含まれる。
【００３２】
例えば、実施形態の第１の筐体１００は２つのケース、すなわち第１のケース１０１と第２のケース１０２と、から構成されていたが、本発明に係る第１の筐体はこれに限定されず、３つ以上のケースを組み合わせて構成されていても良い。
【００３３】
また、実施形態の遮光部材５２０は第１のケース１０１と一体に形成されていたが、本発明に係る遮光部材はこれに限定されるものではなく、第２のケース１０２と一体に形成されていても良い。また、本発明に係る遮光部材は、実施形態の第１のケース１０２及び第２のケース１０１に限定されず、第１の筐体を構成する複数のケースの何れかと一体に形成されていれば良い。
【００３４】
また、実施形態の照光装置１は、第２のケース１０２を非光透過性材料で形成し、第２のケースに形成された開口窓部の形状に対応する可視表示を生成するように構成されていたが、本発明に係る照光装置はこれに限定されるものではない。例えば、第２のケースを光透過性材料で形成することにより、導光部材又は遮光部材の形状に対応する可視表示を生成するように構成されていても良い。また、例えば、第２のケースを光透過性材料で形成すると共に、第２のケース１０２に非光透過性塗料で部分的な塗装を施すことにより、塗装されない部分の形状に対応する可視表示を生成するように構成されていても良い。
【００３５】
また、実施形態の携帯電話機１は、折り畳み型の携帯電話機であったが、本発明はこれに限定されるものではない。例えば、第２の筐体を備えず、単一の第１の筐体から構成される携帯電話機にも適用することができる。この場合、第１の筐体に、同軸細線等から構成された配線により相互に接続された、複数の基板が収容されていても良い。なお、第１の筐体に光源、遮光部材、導光部材等を配置することにより、配線の経路が制限される場合があるが、本発明によれば、配線を遮光部材で案内することにより、構成を簡単としながら、設計の自由度を向上することができる。また、本発明は、例えば、いわゆるスライド型の携帯電話機にも容易に適用することができる。
【００３６】
さらに、本発明は、例示された携帯電話機に限定されるものではなく、ＰＤＡ（Personal Digital Assistance）、ノートパソコン、ウェアラブルパソコン、電卓、電子辞書等、あらゆる電子機器に適用することができる。
【００３７】
その他、各構成の材質、形状、数量、配置等についても、本発明の目的を達成することが可能な範囲において、適宜変更することができる。
【符号の説明】
【００３８】
１…携帯電話機、５…照光装置、１００…第１の筐体、１０１…第１のケース、１０２…第２のケース、１０３…プレート、１１０…表示部、１２０…第１の基板、１２１…第１のコネクタ、２００…第２の筐体、２１０…操作部、２２０…第２の基板、２２１…第２のコネクタ、３００…ヒンジ装置（連結装置）、３１０…配線、５１０…ＬＥＤ、５２０…遮光部材、凹部…５２１、５３０…導光部材、５３１…凸部、５４０…両面テープ、５５０…開口窓部
【図１】
0005477905.tif 000002
【図２】
0005477905.tif 000003
【図３】
0005477905.tif 000004
【図４】
0005477905.tif 000005
【図５】
0005477905.tif 000006